(57)【要約】【課題】  着用者の歩行時の姿勢を改善することができる歩行補正靴下を提供する。【解決手段】  歩行補正靴下１００は、筒状編地における着用者のつま先に対応する爪先成形部分である爪先部１２と、筒状編地における着用者の踵に対応するかかと成形部分であるかかと部１１と、筒状編地における着用者の第５中足骨に対応する部分に沿って爪先部１２及びかかと部１１間に編成され、他の編地と比較して伸縮抵抗が大きい強伸縮部１と、を備える。【選択図】        図１
2015089973.tif 000002
【特許請求の範囲】
【請求項１】
丸編で編み立てられる筒状編地からなり、少なくとも身部及び足部を備えた歩行補正靴下において、
前記筒状編地における着用者のつま先に対応する爪先成形部分である爪先部と、
前記筒状編地における前記着用者の踵に対応するかかと成形部分であるかかと部と、
前記筒状編地における前記着用者の第５中足骨に対応する部分に沿って前記爪先部及びかかと部間に編成され、他の編地と比較して伸縮抵抗が大きい強伸縮部と、
を備えることを特徴とする歩行補正靴下。
【請求項２】
請求項１に記載の歩行補正靴下において、
前記強伸縮部が、前記爪先部に隣接して編成され、前記筒状編地の周方向に周回するアンカー部を備えることを特徴とする歩行補正靴下。
【請求項３】
請求項１又は２に記載の歩行補正靴下において、
前記強伸縮部が、前記かかと部に隣接して編成され、前記着用者の第５中足骨の基部に対応する部分から足裏を介して前記かかと部の成形線近傍まで前記筒状編地の周方向に略半周回する連結部を備えることを特徴とする歩行補正靴下。
【請求項４】
請求項３に記載の歩行補正靴下において、
前記着用者のアキレス腱に対応する部分に前記かかと部に隣接して編成され、前記かかと部を基準に前記連結部と対をなし、前記筒状編地の周方向に略半周回する補助部を備えることを特徴とする歩行補正靴下。
【請求項５】
請求項１乃至４のいずれかに記載の歩行補正靴下において、
前記爪先部が、前記着用者の足指に対応して２以上に分割して構成されることを特徴とする歩行補正靴下。
【発明の詳細な説明】
【技術分野】
【０００１】
この発明は、着用者の歩行時の姿勢を改善する靴下（以下、歩行補正靴下と称す）に関するものである。
【背景技術】
【０００２】
歩行は、ある地点から他の地点まで体を移動させる動作であり、基本的には、立脚相と遊脚相の左右交互の繰り返しで行なわれる。また、歩行は、立脚相の初期１０％と後期１０％で両足が床に接し、その間を両脚支持期と呼び、両脚支持期の間は、単脚支持期と呼ぶ。また、歩行は、後期両脚支持期の後、離床し、遊脚相に移り、着床するまでを１サイクルとする。
【０００３】
さらに、歩行は、最初に踵が床に接し（接床）、体の前方移動と共に体重負荷を増しながら足底全体を接地させていく（体重支持）。この時に、体重支持に主として機能するものが「外側縦アーチ」であり、「内側縦アーチ」や「横アーチ」も体重支持に機能する。体が更に前へ移動し（体重移動）、重心が足先へ移行し蹴り出す時（離床）には、「内側縦アーチ」が主として前方推進力をもたらす。
【０００４】
このため、立脚相の理想的な体重移動とは、歩行時に、足裏での重心が、踵の後ろ外側から始まり、外足側を前方に移動して小指付け根の関節まで移動する。そこで内足側に方向を変え中足趾節関節の列に沿って親指付け根の関節まで移動する。そして、もう一度前方に方向を変え、親指の先で終わる体重移動（３点歩行）と言われている。
特に、進行方向と踵及びつま先を結んだ線分のつま先方向とのなす角（足向角、歩行角）は、通常１５度位と言われ、正常な歩隔（両脚（踵）の前額面での間隔）は、５ｃｍ〜１０ｃｍと言われている。
【０００５】
例えば、従来の靭帯補強靴下は、靴下本体の、横中足靱帯の足裏側に対応する部分と、足根骨の足背側に対応する部分に、足の幅方向で見た引張抵抗力が他の部分よりも強い弾性伸縮部を配置する。足背側の弾性伸縮部の両端部分は、足の内外の側部分の内の略下半分を覆うように延長されると共に、足背側の弾性伸縮部の両端部分は、足の内外の側部分の略上半分を覆うように延長されている（例えば、特許文献１参照）。
【先行技術文献】
【特許文献】
【０００６】
【特許文献１】特開２００５−３１２５１２号公報
【発明の概要】
【発明が解決しようとする課題】
【０００７】
しかしながら、従来の靭帯補強靴下は、血行不良を抑制しながら足のアーチを回復させ、足の正常な機能を回復させるというものであるが、着用者の歩行時の姿勢を改善するものではない。
これに対し、本願発明者は、歩隔を無くして（略０ｃｍとして）左右の踵が交互に略同一直線上に着地し、左右の足の足向角をそれぞれ約４５度（左右の踵を重ねた場合に、左右のつま先方向のなす角を約９０度（直角））にして、体の前方移動と共に体重負荷を増しながら、踵から第１趾（足の親指）に体重移動をすることにより、後述する歩行時の理想的な姿勢となることを見出した。
【０００８】
この発明は、上述のような課題を解決するためになされたもので、着用者の歩行時の姿勢を改善することができる歩行補正靴下を提供することを目的とする。
【課題を解決するための手段】
【０００９】
この発明に係る歩行補正靴下においては、筒状編地における着用者のつま先に対応する爪先成形部分である爪先部と、筒状編地における着用者の踵に対応するかかと成形部分であるかかと部と、筒状編地における着用者の第５中足骨に対応する部分に沿って爪先部及びかかと部間に編成され、他の編地と比較して伸縮抵抗が大きい強伸縮部と、を備えるものである。
【発明の効果】
【００１０】
この発明に係る歩行補正靴下においては、着用者の歩行の立脚相における体重移動を改善し、歩行時の姿勢を改善することができる。
【図面の簡単な説明】
【００１１】
【図１】（ａ）は第１の実施形態に係る右足用の歩行補正靴下の概略構成を示す正面図であり、（ｂ）は図１（ａ）に示す歩行補正靴下の平面図であり、（ｃ）は図１（ａ）に示す歩行補正靴下の背面図である。
【図２】（ａ）は図１（ａ）に示す歩行補正靴下の背面図であり、（ｂ）は図１（ａ）に示す歩行補正靴下の左側面図であり、（ｃ）は図１（ａ）に示す歩行補正靴下の右側面図である。
【図３】（ａ）は図１及び図２に示す歩行補正靴下の着用状態を示す背面図であり、（ｂ）は図１及び図２に示す歩行補正靴下の着用状態を示す正面図であり、（ｃ）は図１及び図２に示す歩行補正靴下の作用効果を説明するための説明図である。
【図４】Ｖ字歩行を説明するための説明図である。
【図５】（ａ）は内転筋群（大内転筋、長内転筋、短内転筋、恥骨筋、薄筋）を説明するための右股部及び大腿部の前面図であり、（ｂ）は内側広筋を説明するための右股部及び大腿部の前面図である。
【発明を実施するための形態】
【００１２】
（本発明の第１の実施形態）
フート・ウェアは、足袋、くつ下及び脚胖に分類され、さらに、くつ下を大別すると、足部のみからなるフートカバー類、口ゴム部、身部及び足部の三部位からなるソックス類、身部がソックスよりも著しく長いストッキング類、並びに上部にパンティ部が付いたタイツ及びパンティ・ストッキング類に分類することができる。
すなわち、フート・ウェアは、足部、必要に応じて身部、口ゴム部又はパンティ部を、適宜備えることで、それぞれの用途目的に合った足の衣服となる。
【００１３】
以下、本実施形態においては、足部１０、身部２０及び口ゴム部３０を備えたソックス（歩行補正靴下１００）を例に挙げて説明するが、この三部位を備えた歩行補正靴下１００に限られるものではなく、少なくとも足部１０及び身部２０を備えたフート・ウェアであればよい。
【００１４】
なお、以下の説明においては、右足用の歩行補正靴下１００を図示した図１、図２及び図３を用いて説明するが、左足用の歩行補正靴下１００は、右足用の歩行補正靴下１００における後述する強伸縮部１及び補助部２の編地の位置が左右対称の位置にあるだけの違いであるので、図示を省略する。
【００１５】
図１乃至図３において、本実施形態に係る歩行補正靴下１００は、表糸、裏糸及びゴム糸を編糸とし、靴下編機（例えば、株式会社村田製作所製の編み機種「ラムダアンフィニー（針数：１４４本）」）により丸編で編み立てられる筒状編地のうち着用者のつま先に対応する部分を縫製加工してソックス形状とする構成である。
歩行補正靴下１００は、足部１０、身部２０及び口ゴム部３０の三部に大別される。
【００１６】
足部１０は、筒状編地における着用者の踵に対応するかかと成形部分であるかかと部１１と、筒状編地における着用者のつま先に対応する爪先成形部分である爪先部１２と、かかと部１１及び爪先部１２の成形線（ゴアライン）１１ａ，１２ａの先端を結ぶ線より上の部分である足甲部１０ａと、かかと部１１及び爪先部１２の成形線（ゴアライン）１１ａ，１２ａの先端を結ぶ線より下の部分である足底部１０ｂとを備えている。
【００１７】
なお、本実施形態に係るかかと部１１及び爪先部１２は、編み目が連続して並び、表と裏の区別がある編地である平編で編成しており、後述する強伸縮部１の位置ずれを抑制するアンカーとして機能する。
【００１８】
また、足部１０は、筒状編地における着用者の第５中足骨に対応する部分に沿って爪先部１２及びかかと部１１間に編成され、他の編地と比較して伸縮抵抗が大きい強伸縮部１を備える。
特に、強伸縮部１は、筒状編地（歩行補正靴下１００）の長さ方向の伸縮抵抗が筒状編地（歩行補正靴下１００）の周方向の伸縮抵抗と比較して大きく編成している。
【００１９】
このように、強伸縮部１は、他の編地と比較して伸縮抵抗が大きいことにより、足部１０の外側面が内側面と比較して伸度が低く、着用者が歩行補正靴下１００を着用した際に、図３（ｃ）に示すように、着用者の足部の外転を生じさせる。このため、歩行補正靴下１００は、着用者の歩行時における着地の際に、図４に示すように、着用者のつま先を進行方向に対して外側に向ける（足向角θを約４５度にする）ことができるという作用効果を奏する。
【００２０】
また、強伸縮部１は、爪先部１２に隣接して編成され、筒状編地（歩行補正靴下１００）の周方向に周回するアンカー部１ａと、かかと部１１に隣接して編成され、着用者の第５中足骨の基部に対応する部分から足裏を介してかかと部１１の成形線１１ａ近傍まで筒状編地の周方向に略半周回する連結部１ｂと、を備える。
【００２１】
アンカー部１ａは、着用者の第１中足骨、第２中足骨、第３中足骨、第４中足骨及び第５中足骨の頭近傍を包囲して締め付け、強伸縮部１の位置ずれを抑制し、爪先部１２のアンカー機能を補助することができるという作用効果を奏する。
【００２２】
連結部１ｂは、アンカー部１ａから繋がる着用者の第５中足骨の基部に対応する部分から足裏を介してかかと部１１の内側面側の成形線１１ａ近傍までの捩れ作用により、着用者の足部の内がえし（内反）を生じさせる。このため、歩行補正靴下１００は、着用者の歩行時の遊脚相において、足を身体の中心面に近づけることになり、着用者の歩行時における着地の際に、図４に示すように、左右の踵を交互に略同一直線Ｘ上に着地させることができるという作用効果を奏する。
【００２３】
身部２０は、着用者のアキレス腱に対応する部分にかかと部１１に隣接して編成され、かかと部１１を基準に連結部１ｂと対をなし、筒状編地の周方向に略半周回する補助部２を備える。
【００２４】
補助部２は、連結部１ｂと共にかかと部１１（着用者の踵）を挟持して、強伸縮部１の位置ずれを抑制し、かかと部１１のアンカー機能を補助することができるという作用効果を奏する。
【００２５】
なお、本実施形態に係る強伸縮部１（アンカー部１ａ、連結部１ｂ）及び補助部２は、コース方向及びウェール方向に、平編とタック（あるコースで編み目を脱出させずに、その後のコースで複数の編み目を脱出させる組織）とが交互に、又は数コースごとに表れる鹿の子編地で編成している。このため、強伸縮部１（アンカー部１ａ、連結部１ｂ）及び補助部２には、平編とタックとを併用することで、編地の表面に隆起や透かし目を作ることができ、鹿の子のような網目柄が表れる。
【００２６】
また、強伸縮部１（アンカー部１ａ、連結部１ｂ）、補助部２、かかと部１１、爪先部１２及び口ゴム部３０を除くその他の編地（以下、ベース生地部３と称す）は、歩行補正靴下１００の長さ方向の伸縮抵抗が歩行補正靴下１００の周方向の伸縮抵抗と比較して大きく編成している。
なお、本実施形態に係るベース生地部３は、たて方向に表目のウェールと裏目のウェールとが交互に並ぶ編み目で、ゴム糸を編み込むのと編み込まないのをウェール毎に交互に繰り返す１×１ゴム編地で編成している。
【００２７】
また、本実施形態に係る歩行補正靴下１００は、強伸縮部１（アンカー部１ａ、連結部１ｂ）及び補助部２が他の編地（特に、ベース生地部３）と比較して伸縮抵抗が大きいのであれば、これらの編み組織（平編地、鹿の子編地、１×１ゴム編地）に限られるものではない。
【００２８】
つぎに、本実施形態に係る歩行補正靴下１００の作用効果について、図３及び図４を用いて説明する。
まず、着用者は、歩行補正靴下１００を着用すると、強伸縮部１により足部の外転を感じ、連結部１ｂ（強伸縮部１）により足部の内反を感じることになる。
【００２９】
そして、歩行補正靴下１００は、着用者が歩行を開始すると、一方の足（例えば、右足）の遊脚相において、強伸縮部１により着用者の足部の外転を生じさせ、連結部１ｂ（強伸縮部１）により着用者の足部の内反を生じさせる。
また、歩行補正靴下１００は、一方の足（右足）の立脚相の抑制期（踵接地）において、着用者の足部の外転及び内反を生じさせたまま、踵から着地させることになる。
【００３０】
この場合に、歩行補正靴下１００は、着用者の足部の外転により、一方の足（右足）のつま先を進行方向に対して外側（ここでは、右側）に向け（足向角θを約４５度にし）、着用者の足部の内反により、一方の足（右足）を身体の中心面に近づけた状態で、つま先を高く上げて一方の足（右足）の踵を着地させる。
【００３１】
そして、歩行補正靴下１００は、一方の足（右足）の立脚相の抑制期（足底接地、立脚中期）において、体の前方移動と共に体重負荷を増しながら一方の足（右足）の重心位置を内足側寄りで踵から中足趾節関節近傍まで移動させて、一方の足（右足）の立脚相の推進期（立脚中期、踵離地）において、第１趾（足の親指）、第２趾、第３趾、第４趾及び第５趾の付け根全体（特に、第１趾）に体重が掛かるようにする。
【００３２】
そして、歩行補正靴下１００は、一方の足（右足）の立脚相の推進期（足指離地）において、着用者の第５趾から始まり、第４趾、第３趾及び第２趾を経て、第１趾に至るまで、順次、各足指を地面から離間させて、着用者の一方の足（右足）で踏み出させる。
なお、歩行補正靴下１００は、一方の足（右足）の立脚相の抑制期（踵接地）において、着用者のつま先を高く着地させることにより、つま先が接地するまでの滞空時間を長くし、一方の足（右足）を前方に強く踏み出させることができる。
【００３３】
特に、歩行補正靴下１００は、着用者の第１趾が地面から離間する瞬間に、踵が地面に対して略垂直のつま先立ちで、踵を高く蹴り上げさせることにより、着用者の大腰筋２０７を働かせ、着用者の体を推進力で前方に押出し、前方への体重移動を円滑にしている。
【００３４】
また、歩行補正靴下１００は、着用者の後ろ足を高く蹴り上げさせることにより、後ろ足に繋がる脚が真っ直ぐに伸び、その脚の膝がほとんど曲がらないため、長く伸びた脚で骨盤の臀部が押し上げられて、ヒップアップの作用効果がある。
なお、骨盤が後方に傾くと、背骨が歪み、腰痛などの原因になるため、歩行補正靴下１００は、背骨及び骨盤の歪みを抑制し、腰痛予防にも期待することができる。
【００３５】
また、歩行補正靴下１００は、他方の足（ここでは、左足）についても一方の足（右足）と同様の足運びにすることができ、図４に示すように、左右の踵を交互に略同一直線Ｘ上に着地させ、左右の足の足向角をそれぞれ約４５度にする（左右の踵を重ねた場合に、左右のつま先方向のなす角を約９０度（直角）にする）歩行（以下、Ｖ字歩行と称す）を行なわせることができる。
【００３６】
このように、歩行補正靴下１００は、左右の踵を交互に略同一直線Ｘ上に着地させて一本の線の上を歩くように、着用者にＶ字歩行を行なわせることにより、図５に示すように、大腿部の内側に位置して膝の内側部分を固める筋肉である内転筋群（大内転筋２０１、長内転筋２０２、短内転筋２０３、恥骨筋２０４、薄筋２０５）及び内側広筋２０６を活発（特に、前足に体重を載せる瞬間）に働かせ、膝を引き締め、Ｏ脚を改善して美脚効果が得られる。
【００３７】
また、歩行補正靴下１００は、着用者の左右の踵を交互に略同一直線Ｘ上に着地させることにより、着用者の重心を直線Ｘ上で移動させ、体の振れを抑制し、頭部を体の真上に位置させて、重心を安定させることができる。
【００３８】
なお、本実施形態に係る爪先部１２は、平編であり、強伸縮部１のアンカー部１ａのような強い締付力を有しないために、着用者の足指の間を十分に開くことができ、足指による踏ん張りを利かすことができる。
特に、本実施形態に係る爪先部１２は、指先が分かれていないのであるが、着用者の第１趾と第１趾以外の４つの足指とを分けて爪先部１２に装着できるように、爪先部１２を２つに分割することで、歩行による歩行補正靴下１００の捩れや強伸縮部１の位置ずれを防止するためのアンカーとしての機能を持たせてもよい。
【００３９】
また、本実施形態に係る爪先部１２は、足部１０の爪先部１２を２以上に分割し構成してもよいし、第１趾に限らずに１つの足指と他の４つの足指とを分割し構成してもよいし、複数の足指と他の複数の足指とを分割し構成してもよい。
【００４０】
なお、本実施形態においては、強伸縮部１、補助部２、ベース生地部３及び口ゴム部３０に用いられる地編糸として、フィラメントカウントが３４本である太さ７０デニールのウーリーナイロン２本からなる表糸と、フィラメントカウントが１３本である太さ４０デニールのウーリーナイロン１本からなる裏糸と、太さ２６０デニールのポリウレタンの芯糸に太さ４０デニールのナイロンの巻き糸を２本巻きつけたカバーリング・ヤーン（ＤＣＹ：double covered yarn）であるゴム糸と、を用いているが、この材質に限られるものではない。
【００４１】
また、本実施形態においては、かかと部１１及び爪先部１２に用いられる地編糸として、フィラメントカウントが３４本である太さ７０デニールのウーリーナイロン２本からなる表糸と、太さ２０デニールのポリウレタンの芯糸に太さ７０デニールのナイロンの巻き糸を巻きつけたカバーリング・ヤーン（ＦＴＹ：filament twisted yarn）である裏糸と、を用いているが、この材質に限られるものではない。
【００４２】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、歩行補正靴下１００のコスト又は着用者のニーズに合わせて選択することが好ましい。また、裏糸としては、エステル又は抗菌、防臭若しくは消臭素材を、歩行補正靴下１００のコスト又は着用者のニーズに合わせて選択することが好ましい。
【００４３】
以上のように、本実施形態に係る歩行補正靴下１００においては、強伸縮部１を備えることにより、着用者が意識せずに、Ｖ字型の足さばき、つま先を高く上げて着地し、後ろ足を高く上げる足運びを行ない、着用者の歩行姿勢が改善されることになる。
なお、歩行姿勢が悪く猫背になると、腕を動かす起点となる肩甲骨の位置が腕に引っ張られて前方に移動し、背中の筋肉が伸びきってしまうと共に、前方に傾斜した首にも負担が掛かり、肩凝りや血行不良、頭痛を誘発することもある。
これに対し、本実施形態に係る歩行補正靴下１００においては、着用者の歩行姿勢を改善することで、着用者の背筋が伸び、肩甲骨の位置が正常な位置になり、肩凝りや血行不良、頭痛の誘発を抑制することができる。
【符号の説明】
【００４４】
１      強伸縮部
１ａ    アンカー部
１ｂ    連結部
２      補助部
３      ベース生地部
１０    足部
１０ａ  足甲部
１０ｂ  足底部
１１    かかと部
１１ａ  成形線
１２    爪先部
１２ａ  成形線
２０    身部
３０    口ゴム部
１００  歩行補正靴下
２０１  大内転筋
２０２  長内転筋
２０３  短内転筋
２０４  恥骨筋
２０５  薄筋
２０６  内側広筋
２０７  大腰筋
【図１】
2015089973.tif 000003
【図２】
2015089973.tif 000004
【図３】
2015089973.tif 000005
【図４】
2015089973.tif 000006
【図５】
2015089973.tif 000007